(57)【要約】【課題】鏡が用いられる環境に応じて、照明手段からの光の強度を変化させることができ、また、照明手段からの光の色合いを希望するものに容易に変更できるようにする。【解決手段】機能手段として、モード設定手段、出力光設定手段、ＬＥＤ設定手段を備える。モード設定手段は、加熱用ＬＥＤユニットからの発光される光の、モードを設定する。出力光設定手段は、光検出器の入力光の強度及び色合いと、モード設定手段で設定されたモードに応じて、出力光の強度及び色合いを設定する。ＬＥＤ設定手段は、加熱用ＬＥＤユニットから発光される光の、強度及び色合いが、出力光設定手段で設定された強度及び色合いになるように、加熱用ＬＥＤユニットが備える各ＬＥＤの発光強度を設定する。【選択図】図３
2018075066.tif 000002
【特許請求の範囲】
【請求項１】
鏡本体と、
該鏡本体の背面側に貼り付けられた、それぞれ、加熱用板、及び、各加熱用板に、発光面が前記鏡本体とは反対側を向き、前記鏡本体の鏡面を２等分する中心軸を挟む位置に配置された、少なくとも、赤色ＬＥＤ，青色ＬＥＤ及び緑色ＬＥＤを備える、複数の加熱用ＬＥＤユニットと、
平板状の筐体底部と、前記筐体底部の周縁から高さ方向に所定の角度で立ち上がる筐体壁部とによって画定され、上側には前記鏡本体が取り付けられる筐体と、
入射される光の強度及び色合いを検出する光検出器と、
前記加熱用ＬＥＤユニットからの発光される光の、モードを設定するモード設定手段と、
前記光検出器の入力光の強度及び色合いと、前記モード設定手段で設定されたモードに応じて、出力光の強度及び色合いを設定する出力光設定手段と、
前記加熱用ＬＥＤユニットから発光される光の、強度及び色合いが、前記出力光設定手段で設定された強度及び色合いになるように、前記加熱用ＬＥＤユニットが備える各ＬＥＤの発光強度を設定するＬＥＤ設定手段と
を備えることを特徴とする照明灯付き鏡。
【請求項２】
前記モードは、
前記出力光の色合いを、昼光色、昼白色、電球色、又は、前記入力光と同程度の色合いとし、前記入力光の強度が高いときは、前記出力光の強度を高くし、前記入力光の強度が低いときは、前記出力光の強度を低くするモード、及び
前記出力光の色合いを、昼光色、昼白色、電球色、又は、前記入力光と同程度の色合いとし、前記入力光の強度が高いときは、前記出力光の強度を低くし、前記入力光の強度が低いときは、前記出力光の強度を高くするモード
のいずれかである
ことを特徴とする請求項１に記載の照明灯付き鏡。
【請求項３】
さらに、
前記加熱用ＬＥＤユニットが備えるＬＥＤの発光面側に、前記筐体底部の法線に対して４５度の角度で設けられた反射面を備える反射体
を備えることを特徴とする請求項１又は２に記載の照明灯付き鏡。
【請求項４】
前記加熱用ＬＥＤユニットが備えるＬＥＤが、それぞれ、
金属で形成された中空の容器と、
前記容器の内側の底面上に、発光面を上側に向けて載置された発光ダイオードと、
前記容器の内部に充填された樹脂と
を備え、
前記容器の、前記底面、前記底面に対向する上面、及び、側面の少なくとも１つの面に、中空の部分と連通する開孔が形成されており、
前記開孔の配置、数、形状及び大小、並びに、前記発光ダイオードから放出される光強度により当該開孔から放出される光の強度と、光を取り出す方向とが設定され、
前記開孔の配置、数、形状及び大小と、前記容器の形状、大きさ、厚さ及び材質と、前記発光ダイオードの発熱量とにより、前記開孔が形成されている少なくとも１つの面を経て加熱対象物に伝播される熱量が設定される
発光ダイオードユニットである
ことを特徴とする請求項１〜３のいずれか一項に記載の照明灯付き鏡。
【請求項５】
前記加熱用ＬＥＤユニットが備えるＬＥＤが、それぞれ、
金属で形成された中空の容器と、
前記容器の内側の底面上に、発光面を上側に向けて載置された発光ダイオードと
を備え、
前記容器の内側表面に、凹凸が形成されており、
前記容器の、前記底面、前記底面に対向する上面、及び、側面の少なくとも１つの面に、中空の部分と連通する開孔が形成されており、
前記開孔の配置、数、形状及び大小、並びに、前記発光ダイオードから放出される光強度により当該開孔から放出される光の強度と、光を取り出す方向とが設定され、
前記開孔の配置、数、形状及び大小と、前記容器の形状、大きさ、厚さ及び材質と、前記発光ダイオードの発熱量とにより、前記開孔が形成されている少なくとも１つの面を経て加熱対象物に伝播される熱量が設定される
発光ダイオードユニットである
ことを特徴とする請求項１〜３のいずれか一項に記載の照明灯付き鏡。
【発明の詳細な説明】
【技術分野】
【０００１】
本発明は、ＬＥＤ（発光ダイオード）を備える照明灯付き鏡に関する。
【背景技術】
【０００２】
洗面台や風呂場等の湿度の高い場所、又は、暗所で用いられる鏡として、鏡面の視認性を確保するために、鏡面を加熱して結露を防止する手段や照明手段を備える鏡がある（例えば、特許文献１参照）。
【先行技術文献】
【特許文献】
【０００３】
【特許文献１】特許第５５４３６５７号公報
【発明の概要】
【発明が解決しようとする課題】
【０００４】
照明灯付き鏡では、周囲の明るさなどの、鏡が用いられる環境に応じて、照明手段からの光の強度が変化することが好ましい。また、鏡をインテリアとして用いる場合は、色合いも、希望するものに容易に変更できることが好ましい。しかしながら、このような機能を備える照明灯付き鏡はこれまで知られていない。
【０００５】
この発明は、上述の状況に鑑みてなされたものであり、この発明の目的は、鏡が用いられる環境に応じて、照明手段からの光の強度を変化させることができ、また、照明手段からの光の色合いを希望するものに容易に変更できる、照明灯付き鏡を提供することにある。
【課題を解決するための手段】
【０００６】
上述した課題を解決するため、本発明に係る照明灯付き鏡は、鏡本体と、複数の加熱用ＬＥＤユニットと、筐体と、反射体と、光検出器を備えて構成される。
【０００７】
加熱用ＬＥＤユニットは、鏡本体の背面側に貼り付けられた、それぞれ、加熱用板、及び、各加熱用板に、発光面が鏡本体とは反対側を向き、鏡本体の鏡面を２等分する中心軸を挟む位置に配置された、少なくとも、赤色ＬＥＤ，青色ＬＥＤ及び緑色ＬＥＤを備える。
【０００８】
筐体は、平板状の筐体底部と、筐体底部の周縁から高さ方向に所定の角度で立ち上がる筐体壁部とによって画定され、筐体壁部の上側には鏡本体が取り付けられる。光検出器は、入射される光の強度及び色合いを検出する。
【０００９】
また、この照明灯付き鏡は、機能手段として、モード設定手段、出力光設定手段、ＬＥＤ設定手段を備える。モード設定手段は、加熱用ＬＥＤユニットからの発光される光の、モードを設定する。出力光設定手段は、光検出器の入力光の強度及び色合いと、モード設定手段で設定されたモードに応じて、出力光の強度及び色合いを設定する。ＬＥＤ設定手段は、加熱用ＬＥＤユニットから発光される光の、強度及び色合いが、出力光設定手段で設定された強度及び色合いになるように、加熱用ＬＥＤユニットが備える各ＬＥＤの発光強度を設定する。
【発明の効果】
【００１０】
以上に述べたように、本発明の照明灯付き鏡は、鏡が用いられる環境に応じて、照明手段からの光の強度を変化させることができ、また、照明手段からの光の色合いを希望するものに容易に変更できる。
【図面の簡単な説明】
【００１１】
【図１】本発明の実施形態に係る照明灯付き鏡の正面図である。
【図２】図１に示された照明灯付き鏡の断面図である。
【図３】照明灯付き鏡の制御部を説明するための模式図である。
【図４】照明灯付き鏡が備える反射体の断面図である。
【図５】反射体の他の構成例を示す様式図である。
【図６】発光ダイオードユニットの概略図である。
【発明を実施するための形態】
【００１２】
以下、図を参照して、この発明の実施の形態について説明するが、各構成要素の形状、大きさ及び配置関係については、この発明が理解できる程度に概略的に示したものに過ぎない。また、以下、この発明の好適な構成例につき説明するが、各構成要素の材質及び数値的条件などは、単なる好適例にすぎない。従って、この発明は以下の実施の形態に限定されるものではなく、この発明の構成の範囲を逸脱せずにこの発明の効果を達成できる多くの変更又は変形を行うことができる。なお、断面を示すハッチングなどは、一部分省略することもある。各図において、同一又は対応部分には、同一の符号を付与してある。
【００１３】
図１は、本発明の実施形態に係る照明灯付き鏡の正面図である。図２は、図１に示された照明灯付き鏡の、Ａ−Ａ線に沿って切った切断端面を示す図である。なお、図２では、中心軸Ｂに対して左側部分のみ示し、右側部分の図示を省略している。右側部分については、中心軸Ｂを軸として対称に形成すればよい。図３は、照明灯付き鏡の制御部を説明するための模式図である。図４は、照明灯付き鏡が備える反射体の断面図である。
【００１４】
本発明に係る照明灯付き鏡は、鏡本体１０と、複数のＬＥＤ５０と、加熱用板２０と、筐体３０と、反射体６０と、光検出器９０と、入力手段９５とを備えて構成される。
【００１５】
鏡本体１０は、対象物体を映す鏡面Ｓ１１と、鏡面Ｓ１１とは反対側の背面Ｓ１２とを有している。鏡本体１０は、ガラス板で構成される。鏡本体１０の背面Ｓ１２には、加熱用板２０として、ガラス板よりも熱伝導性に優れた（例えば、熱伝導率の高い）一層の金属板が貼り付けられている。金属板は、好ましくは、コスト的に優れているアルミニウム板、銅板、又は、それらの合金板である。なお、鏡面Ｓ１１は、必要に応じて、傷が付かないように表面コーティングされている。鏡本体１０の板厚は、背面Ｓ１２から伝導してくる熱が鏡面Ｓ１１の全体に伝導し、鏡面Ｓ１１の結露が防止される厚さになっている。
【００１６】
ここで、加熱用板２０は、複数の金属板を並べて構成される。例えば、金属板はｎ行２ｍ（ｎ、ｍは１以上の整数）列に配置して構成される。この場合、中心軸Ｂを挟む位置にそれぞれｍ列ずつ金属板が配置される。
【００１７】
鏡本体１０の加熱用板２０の貼り付けられている中央部分がいわゆる鏡面として機能する鏡部１となり、加熱用板２０が貼り付けられていない部分が、照明用などに用いられる窓部２となる。この実施の形態では、窓部２は照明灯付き鏡を設置したときに、両端側に位置するように設けられている。
【００１８】
各金属板には、例えば、４行２列に計８個のＬＥＤが配置される。１つの列に配置される４つのＬＥＤは、それぞれ、赤色ＬＥＤ、緑色ＬＥＤ、青色ＬＥＤ及び白色ＬＥＤである。金属板と、その金属板に配置される８個のＬＥＤとで加熱用ＬＥＤユニット５５が構成される。８個のＬＥＤには、それぞれ個別に調整された電圧が印加される。この印加される電圧の大きさによって、各ＬＥＤから発光される光の強度が決まり、その結果、１つの加熱用ＬＥＤユニットから発光される光の、強度及び色合いが決まる。
【００１９】
なお、加熱用ＬＥＤユニット５５を構成するＬＥＤの数は、１つの加熱用ＬＥＤユニット５５から発光される光を、所望の強度及び色合いに設定できれば良く、８個に限定されない。例えば、赤色ＬＥＤ、緑色ＬＥＤ、青色ＬＥＤ及び白色ＬＥＤの計４個のＬＥＤを２行２列又は４行１列に配置して、１つの加熱用ＬＥＤユニット５５を構成してもよい。また、赤色ＬＥＤ、緑色ＬＥＤ及び青色ＬＥＤの３種のＬＥＤで構成してもよいし、赤色ＬＥＤ、緑色ＬＥＤ、青色ＬＥＤ及び白色ＬＥＤの個数が異なっていてもよい。
【００２０】
光検出器９０は、入射される光の強度及び色合い（波長分布）を検出し、その結果を制御部に送る。光検出器９０は、例えば、ＣＭＯＳ（Ｃｏｍｐｌｅｍｅｎｔａｒｙ  ｍｅｔａｌ−ｏｘｉｄｅ−ｓｅｍｉｃｏｎｄｕｃｔｏｒ）センサや、ＣＣＤ（Ｃｈａｒｅｇｅｄ−ｃｏｕｐｌｅｄ  ｄｅｖｉｃｅｓ）センサなど、任意好適な従来公知の検出器で構成することができる。
【００２１】
光検出器９０の出力信号は、例えば、電気信号として、制御部２００に送られる。この光検出器９０の出力信号には、光検出器９０に入射される光の強度及び色合いの情報が含まれている。なお、ここでは、光検出器９０が鏡と一体に構成される例を説明するが、これに限定されない。例えば、光検出器９０を、鏡と離間して設け、光検出器９０の出力信号を、無線信号としてもよい。また、光検出器９０としてカメラ機能を備えるスマートフォンなど、他の端末装置を用いてもよい。
【００２２】
入力手段９５は、スイッチ、ダイヤル、キーボード、タッチパネルなど任意好適な手段で構成される。
【００２３】
制御部２００は、例えば、中央処理制御装置（ＣＰＵ：Ｃｅｎｔｒａｌ  Ｐｒｏｃｅｓｉｎｇ  Ｕｎｉｔ）２１０と、記憶手段として、ＲＯＭ（Ｒｅａｄ  Ｏｎｌｙ  Ｍｅｍｏｒｙ）２２２及びＲＡＭ（Ｒａｎｄｏｍ  Ａｃｃｅｓｓ  Ｍｅｍｏｒｙ）２２４を備えて構成される。
【００２４】
ＣＰＵ２１０が、ＲＯＭ２２２からプログラムを読み出して実行することにより、機能手段として、光検出信号受信手段２１２、モード設定手段２１４、出力光設定手段２１６、及び、ＬＥＤ設定手段２１８が実現される。ＲＡＭ２２４には、各機能手段での処理結果が一時的に格納される。
【００２５】
光検出信号受信手段２１２は、光検出器９０の出力信号を受信して、この出力信号をＲＡＭ２２４に格納する。
【００２６】
モード設定手段２１４は、入力手段９５からの入力に応じて、加熱用ＬＥＤユニット５５から発光される光の、モードを選択する。モードは、設計に応じて任意好適に定めることができる。モードとして、例えば、色合いを、昼光色、昼白色、電球色のいずれかに設定し、光検出器９０に入力される光（入力光）の強度が高いときは、加熱用ＬＥＤユニット５５から発光される光（出力光）の強度を高くし、入力光の強度が低いときは、出力光の強度を低くするものがある。逆に、入力光の強度が高いときは、出力光の強度を低くし、入力光の強度が低いときは、出力光の強度を高くするモードも考えられる。また、色合いについては、所望の色合いの光を光検出器９０に入力したときに、出力光の色合いを入力光の色合いと同じになるように設定するモードも考えられる。
【００２７】
出力光設定手段２１６は、光検出器９０の出力信号、すなわち、入力光の強度及び色合いと、モード設定手段２１４で設定されたモードに応じて、出力光の強度及び色合いを設定する。
【００２８】
ＬＥＤ設定手段２１８は、加熱用ＬＥＤユニット５５から発光される光の、強度及び色合いが、出力光設定手段２１６で設定された強度及び色合いになるように、加熱用ＬＥＤユニット５５が備える各ＬＥＤ５０の発光強度を設定する。各加熱用ＬＥＤユニット５５から発光される光の、強度及び色合いは、互いに等しく設定される。すなわち、各加熱用ＬＥＤユニット５５に印加される電圧を等しくする。なお、加熱用ＬＥＤユニット５５ごとに、異なる電圧を印加するなどして、個別に、強度及び色合いを設定してもよい。
【００２９】
制御部２００は、後述する筐体底部３１の背面側や、筐体内部の上端又は下端付近など、窓部２から出力される光の妨げとならない箇所に設ければよい。
【００３０】
筐体３０は、平板状の底部（筐体底部）３１と、筐体底部３１の周縁から高さ方向に所定の角度で立ち上がる壁部（筐体壁部）３２とによって画定される。筐体壁部３２の上側には、鏡本体１０が取り付けられる。鏡本体１０の筐体３０への取付けは、任意好適な従来公知の方法で行えばよい。例えば、筐体壁部３２の上端部近傍に、筐体底部３１と平行に一周に渡って溝を形成し、溝内にゴムなどの緩衝材３４を介して鏡本体１０を嵌め込む構成にしてもよい。
【００３１】
図２では、溝を側板３３に形成し、側板３３を筐体壁部３２に取り付ける例を示しているが、側板３３と筐体壁部３２を一体に構成しても良い。
【００３２】
加熱用ＬＥＤユニット５５は、鏡面Ｓ１１を２等分する中心軸（図１及び図２中、Ｂで示す。）を挟む位置に、中心軸Ｂに対称に配置されている。この実施形態では、中心軸Ｂを挟む位置に、それぞれ１列ずつ配置されている。加熱用ＬＥＤユニット５５が備える複数のＬＥＤ５０のそれぞれは、その外面が発光面Ｓ５１と、放熱面Ｓ５２とに区分けされている。放熱面Ｓ５２は、ＬＥＤ５０の外面のうち発光面Ｓ５１を除く部分である。
【００３３】
複数のＬＥＤ５０のそれぞれは、発光面Ｓ５１が鏡本体１０とは反対側を向き、放熱面Ｓ５２が配線基板（図示を省略する）に直に接触した状態で配線基板に搭載されている。ＬＥＤ５０のそれぞれは、配線基板の配線パターンに接続されており、配線パターンを介して電力供給されると発光面Ｓ５１から赤色、緑色、又は、青色の光Ｌを発し、その発光にともなう発熱を放熱面Ｓ５２から熱Ｈとして放熱する。複数のＬＥＤ５０が発光にともなって放熱した熱Ｈは、ＬＥＤ５０の放熱面Ｓ５２のうち加熱用板２０側の部分から加熱用板２０に伝導し、鏡面Ｓ１１を加熱する。鏡面Ｓ１１は、加熱されることによって結露しなくなる。
【００３４】
中心軸Ｂ側の列のＬＥＤ５０の発光面Ｓ５１側には、反射体６０が設けられている。ＬＥＤ５０ａの発光方向が筐体底部３１に直交する方向である場合は、反射体６０は、反射体６０が備える反射面Ｓ６６が筐体底部３１の法線に対して４５度の角度で取り付けられ、ＬＥＤ５０ａが発する光Ｌを筐体底部３１に平行に筐体壁部３２に送るのが好ましい。
【００３５】
筐体壁部３２を、筐体底部３１の法線に対して所定の角度θ、例えば、筐体底部３１の法線に対して０度より大きく４５度より小さい角度に設定しておけば、反射体６０から送られた光Ｌを、窓部２を経て鏡面Ｓ１１側に放出することができる。
【００３６】
この反射体６０は、鏡本体１０の撓みを抑制する補強部材としても機能する。このため、反射体６０は、第１固定部６１と、反射部６２と、鏡面支持部６３と、直角支持部６４と、第２固定部６５とをこの順に配列して一体として構成される。
【００３７】
第１固定部６１及び第２固定部６５は、筐体底部３１に固定される部分であり、これらの部分６１及び６５を筐体底部３１にねじ止めするなどして、反射体６０が筐体底部３１に固定される。
【００３８】
反射部６２の鏡本体１０側の面が反射面Ｓ６６であり、ＬＥＤ５０が発する光Ｌの伝播方向を変えて、筐体壁部３２に送る。
【００３９】
鏡面支持部６３及び直角支持部６４が主に補強部材として機能する部分である。このように反射体６０が補強部材としても機能するため、鏡本体の面積が大きい場合でも、鏡本体１０の撓みを抑制することができ、また、衝撃による破損等も抑制することができる。
【００４０】
反射体６０は、筐体底部３１側からみたときに、第１固定部６１と反射部６２とのなす角を２２５度とし、反射部６２と鏡面支持部６３とのなす角を１３５度とし、鏡面支持部６３と直角支持部６４とのなす角を９０度とし、直角支持部６４と第２固定部６５とのなす角を２７０度としている。この反射体６０は、一枚の金属板を折り曲げて形成しても良いし、複数の金属板を溶接等で接続して形成しても良い。なお、ここでは、取り付けられた際に、第１固定部６１及び第２固定部６５が、反射部６２及び直角支持部６４を挟む位置に設けられる例を示しているが、これに限定されない。設計に応じて、例えば、図５（Ａ）〜（Ｃ）に示すように、第１固定部６１及び第２固定部６５のいずれか一方又は双方が、反射部６２及び直角支持部６４に挟まれる位置に設けられても良い。
【００４１】
加熱用板２０の熱が反射体６０に伝導するのを防ぐため、鏡面支持部６３と加熱用板２０の間には、加熱用板２０よりも熱伝導率の低い、例えば樹脂材７０を備えるのが良い。
【００４２】
筐体３０の厚みを薄くした場合など、窓部２を均一な照度にすることが困難な場合もある。そこで、ＬＥＤ５０から発する光を効率よく窓部２に送るため、汎用の光反射シート８０を反射体６０の反射面Ｓ６６や、加熱用板２０、筐体底部３１及び筐体壁部３２の筐体３０内側の面上に設けるのが良い。
【００４３】
また、よりデザイン性を向上させるため、筐体底部３１の窓部２に近い領域や筐体壁部３２については、単なる光反射シートではなく、ホログラムシートなどを設けても良い。汎用の光反射シートあるいはホログラムシートは、例えば、両面テープなど任意好適な従来公知の手段により貼り付けられる。
【００４４】
この照明灯付き鏡では、ＬＥＤ５０が鏡面Ｓ１１の中心付近に設けられていない。そのため、電源投入時など、中心付近の結露が解消されるまでに時間がかかることも想定さる。
【００４５】
そこで、鏡面Ｓ１１の中心付近を加熱する発熱体４０を、鏡面Ｓ１１の中心軸Ｂに沿って設けるのが良い。この発熱体４０は、従来公知の任意好適なヒータを用いて構成することができる。ＬＥＤ５０からの発熱が加熱用板２０全体に広がった後は、発熱体４０による加熱を停止してもよい。
【００４６】
ＬＥＤ５０のそれぞれは、放熱面Ｓ５２が加熱用板２０に取り付けられているため、ＬＥＤ５０の発光にともなって放熱面Ｓ５２から放熱される熱Ｈを効率よく加熱用板２０に伝導することができる。
【００４７】
加熱用板２０は、鏡本体１０の鏡面Ｓ１１とは反対側の背面Ｓ１２に貼り付けられているため、鏡面Ｓ１１を遮ることなく、複数のＬＥＤ５０からの熱Ｈを鏡本体１０の背面Ｓ１２に伝導できる。また、反射体６０を備える構成により、中心軸Ｂ側の列のＬＥＤ５０からの光Ｌを照明用途として窓部２から効率的に取り出すことができる。このため、鏡本体１０の面積が大きい場合であっても、使用するＬＥＤ５０の個数を従来の照明灯付き鏡よりも減らすことができる。
【００４８】
加熱用ＬＥＤユニット５５を構成するＬＥＤ５０として、図６に示すＬＥＤユニットを用いても良い。
【００４９】
図６は、ＬＥＤユニットを模式的に示す概略図である。図６（Ａ）は、ＬＥＤユニットの斜視図であり、図６（Ｂ）は、ＬＥＤユニットの断面図である。
【００５０】
ＬＥＤユニット１１０は、ＬＥＤ１１４と、放熱器としての機能を有する中空の容器１１２を備えている。
【００５１】
ＬＥＤ１１４は任意好適な従来公知のものを用いることができる。ＬＥＤ１１４は、赤色ＬＥＤ、緑色ＬＥＤ、青色ＬＥＤ又は白色ＬＥＤである。ＬＥＤ１１４の１つの面が発光面であり、他の面が放熱面となる。ＬＥＤ１１４は、容器１１２の内側の底面上に配線基板（図示を省略する。）を介して取り付けられる。なお、配線基板は容器１１２と一体的に形成しても良い。ＬＥＤ１１４に電力を供給するための配線や回路についての図示を省略する。
【００５２】
中空の容器１１２は、熱伝導率が高い熱伝導材料で形成されている。熱伝導材料として、例えば、アルミニウムや銅などの金属その他好適なものを用いることができる。容器１１２を、金属のブロックをくり抜いて中空にして形成しても良いし、金属板を折り曲げるなどして形成しても良い。また、容器１１２の少なくとも１つの面に、中空の部分と連通する開孔が形成されている。容器１１２の内部には、樹脂が充填、すなわち完全に満たされている。この樹脂は、ＬＥＤ１１４が発光する光を伝搬可能なものであれば良いが、熱伝導率が大きい樹脂、例えば、アクリル樹脂などの熱伝導率が少なくとも１．１Ｗ／ｍＫのものを用いるのが良い（図６では、樹脂の図示を省略している）。
【００５３】
このように、容器１１２の内部に樹脂を充填すると、ＬＥＤ１１４から発せられる光は、樹脂の存在により伝播方向を変えつつ容器１１２の内部を伝搬した後、容器１１２に設けられた開孔から放出される。このため、ＬＥＤ１１４が、容器１１２の底面上に、発光面を上側に向けて載置されている場合であっても、容器１１２の底面など、ＬＥＤ１１４の発光面に対向しない面に形成された開孔を経て、光を放出させることができる。
【００５４】
このとき、光の伝播方向を積極的に変えるために、樹脂として、従来公知の光拡散樹脂を用いることができる。あるいは、熱伝導率に影響を与えない範囲で、樹脂に光拡散体を含めても良い。また、樹脂内部を、光を伝搬させずに熱だけを伝搬させ、光を樹脂表面で反射させる構成にすることもできる。
【００５５】
また、開孔が複数形成されている場合は、ＬＥＤ１１４が発する光の、１つの開孔を経て放射される単位面積当たりの光量は、他の開孔を経て放射される単位面積当たりの光量と等しい、すなわち、ＬＥＤユニット１１０から放出される光強度の空間分布は、ＬＥＤ１１４の発光面の方向によらず、均一にすることができる。
【００５６】
図６では容器を立方体状に形成して、対向する一対の側面に、矩形状の開孔を設けている例を示しているが、これに限定されない。
【００５７】
開孔の配置は、ＬＥＤ１１４から放出される光の取り出し方に応じて設定することができる。底面と対向する上面に開孔を設けても良いし、底面に開孔を設けても良い。また、側面のいずれか一面のみに開孔を設けても良いし、全側面に設けても良い。ＬＥＤ１１４から放出される光は、開孔を経て、ＬＥＤユニット１１０から放出される。
【００５８】
開孔の形状についても、矩形状に限定されない。例えば円形にしても良いし、開孔として複数の小孔を配置しても良いし、または、互いに平行な複数のスリット状の開孔を配置しても良い。
【００５９】
これら開孔の配置及び形状、並びに、容器の形状と、容器の大きさ、厚さ及び材質などについては、使用するＬＥＤの出力（放出される光強度と発熱量）と、加熱用板２０に伝搬される熱量及び放出される光の強度に応じて設定することができる。
【００６０】
ＬＥＤユニット１１０によれば、容器１１２の底面とは反対側の上面側に熱容量が大きい加熱用板２０を取り付けた場合、ＬＥＤ１１４からの放熱は、容器１１２のＬＥＤ１１４が搭載された面（例えば底面）から、容器１１２の各面を経て加熱用板２０に伝搬される。
【００６１】
このとき容器１１２に設けられた開孔の大小により、ＬＥＤ１１４から加熱対象物に伝搬される熱量を所望の値に容易に設定することができる。なお、より効率的に熱を加熱用板２０に伝えたい場合は、加熱用板２０に容器１１２の底面側を取り付けても良い。
【００６２】
また、ＬＥＤ１１４が発光した光は、容器１１２に設けられた開孔から放出される。従って、容器１１２に設けられた開孔の大小により、ＬＥＤユニット１１０から放出される光の強度を所望の大きさに容易に設定することができる。
【００６３】
例えば、熱量を大きくし、光強度を小さくしたい場合は、高出力のＬＥＤを用いて、開孔の面積を小さく設計するなどすればよい。逆に、熱量を小さくし、光強度を大きくしたい場合は、開孔の面積を大きく設計するなどすればよい。また、熱量及び光強度をともに大きくしたい場合は、開孔の面積を大きくし、かつ、開孔が設けられていない部分の容器の側面を厚くするなどしても良い。
【００６４】
なお、ここでは、容器１１２の内部に樹脂が充填される例を説明したが、これに限定されない。容器１１２の内部に樹脂を充填せずに、容器１１２の内側表面に、凹凸を形成しても良い。このように構成すると、ＬＥＤ１１４から発せられる光は容器１１２の内側表面で乱反射した後、容器１１２の開孔から放出される。
【００６５】
本発明に係る照明灯付き鏡は、洗面化粧用、浴室用、姿見用、ドア用、パーティション用、天井用等のあらゆる用途に適用させることができる。
【００６６】
以上、好ましい実施形態を参照して本発明の内容を具体的に説明したが、本発明の基本的技術思想、及び、教示に基づいて、当業者であれば、種々の変形態様を採り得ることは自明である。
【符号の説明】
【００６７】
１    鏡部
２    窓部
１０    鏡本体
２０    加熱用板
３０    筐体
３１    筐体底部
３２    筐体壁部
３３    側板
３４    緩衝材
４０    発熱体
５０    ＬＥＤ
５５    加熱用ＬＥＤユニット
６０    反射体
６１    第１固定部
６２    反射部
６３    鏡面支持部
６４    直角支持部
６５    第２固定部
７０    樹脂材
８０    光反射シート
９０    光検出器
９５    入力手段
１１０    ＬＥＤユニット    
１１２    容器
１１４    ＬＥＤ
２００    制御部
２１０    ＣＰＵ
２１２    光検出信号受信手段
２１４    モード設定手段
２１６    出力光設定手段
２１８    ＬＥＤ設定手段
２２２    ＲＯＭ
２２４    ＲＡＭ
Ｈ    熱
Ｌ    光
Ｓ１１    鏡面
Ｓ１２    背面
Ｓ５１    発光面
Ｓ５２    放熱面
Ｓ６６    反射面
【図１】
2018075066.tif 000003
【図２】
2018075066.tif 000004
【図３】
2018075066.tif 000005
【図４】
2018075066.tif 000006
【図５】
2018075066.tif 000007
【図６】
2018075066.tif 000008
【手続補正書】
【提出日】平成29年5月16日(2017.5.16)
【手続補正１】
【補正対象書類名】特許請求の範囲
【補正対象項目名】全文
【補正方法】変更
【補正の内容】
【特許請求の範囲】
【請求項１】
鏡本体と、
該鏡本体の背面側に貼り付けられた、それぞれ、加熱用板、及び、各加熱用板に、発光面が前記鏡本体とは反対側を向き、前記鏡本体の鏡面を２等分する中心軸を挟む位置に配置された、少なくとも、赤色ＬＥＤ，青色ＬＥＤ及び緑色ＬＥＤを備える、複数の加熱用ＬＥＤユニットと、
平板状の筐体底部と、前記筐体底部の周縁から高さ方向に所定の角度で立ち上がる筐体壁部とによって画定され、上側には前記鏡本体が取り付けられる筐体と、
入射される光の強度及び色合いを検出する光検出器と、
前記加熱用ＬＥＤユニットからの発光される光の、モードを設定するモード設定手段と、
前記光検出器の入力光の強度及び色合いと、前記モード設定手段で設定されたモードに応じて、出力光の強度及び色合いを設定する出力光設定手段と、
前記加熱用ＬＥＤユニットから発光される光の、強度及び色合いが、前記出力光設定手段で設定された強度及び色合いになるように、前記加熱用ＬＥＤユニットが備える各ＬＥＤの発光強度を設定するＬＥＤ設定手段と
を備え、
前記出力光の色合いを、少なくとも、前記入力光の色合いと同程度に設定できる
ことを特徴とする照明灯付き鏡。
【請求項２】
請求項１に記載の照明灯付き鏡であって、
前記光検出器が、当該照明灯付き鏡と離間して設けられ、
前記光検出器の出力信号が、無線信号として、前記出力光設定手段に送られる
ことを特徴とする照明灯付き鏡。
【請求項３】
前記モードは、
前記出力光の色合いを、昼光色、昼白色、電球色、又は、前記入力光と同程度の色合いとし、前記入力光の強度が高いときは、前記出力光の強度を高くし、前記入力光の強度が低いときは、前記出力光の強度を低くするモード、及び
前記出力光の色合いを、昼光色、昼白色、電球色、又は、前記入力光と同程度の色合いとし、前記入力光の強度が高いときは、前記出力光の強度を低くし、前記入力光の強度が低いときは、前記出力光の強度を高くするモード
のいずれかである
ことを特徴とする請求項１又は２に記載の照明灯付き鏡。
【請求項４】
さらに、
前記加熱用ＬＥＤユニットが備えるＬＥＤの発光面側に、前記筐体底部の法線に対して４５度の角度で設けられた反射面を備える反射体
を備えることを特徴とする請求項１〜３のいずれか一項に記載の照明灯付き鏡。
【請求項５】
前記加熱用ＬＥＤユニットが備えるＬＥＤが、それぞれ、
金属で形成された中空の容器と、
前記容器の内側の底面上に、発光面を上側に向けて載置された発光ダイオードと、
前記容器の内部に充填された樹脂と
を備え、
前記容器の、前記底面、前記底面に対向する上面、及び、側面の少なくとも１つの面に、中空の部分と連通する開孔が形成されており、
前記開孔の配置、数、形状及び大小、並びに、前記発光ダイオードから放出される光強度により当該開孔から放出される光の強度と、光を取り出す方向とが設定され、
前記開孔の配置、数、形状及び大小と、前記容器の形状、大きさ、厚さ及び材質と、前記発光ダイオードの発熱量とにより、前記開孔が形成されている少なくとも１つの面を経て加熱対象物に伝播される熱量が設定される
発光ダイオードユニットである
ことを特徴とする請求項１〜４のいずれか一項に記載の照明灯付き鏡。
【請求項６】
前記加熱用ＬＥＤユニットが備えるＬＥＤが、それぞれ、
金属で形成された中空の容器と、
前記容器の内側の底面上に、発光面を上側に向けて載置された発光ダイオードと
を備え、
前記容器の内側表面に、凹凸が形成されており、
前記容器の、前記底面、前記底面に対向する上面、及び、側面の少なくとも１つの面に、中空の部分と連通する開孔が形成されており、
前記開孔の配置、数、形状及び大小、並びに、前記発光ダイオードから放出される光強度により当該開孔から放出される光の強度と、光を取り出す方向とが設定され、
前記開孔の配置、数、形状及び大小と、前記容器の形状、大きさ、厚さ及び材質と、前記発光ダイオードの発熱量とにより、前記開孔が形成されている少なくとも１つの面を経て加熱対象物に伝播される熱量が設定される
発光ダイオードユニットである
ことを特徴とする請求項１〜４のいずれか一項に記載の照明灯付き鏡。
【手続補正書】
【提出日】平成29年7月26日(2017.7.26)
【手続補正１】
【補正対象書類名】特許請求の範囲
【補正対象項目名】全文
【補正方法】変更
【補正の内容】
【特許請求の範囲】
【請求項１】
鏡本体と、
該鏡本体の背面側に貼り付けられた、それぞれ、加熱用板、及び、各加熱用板に、発光面が前記鏡本体とは反対側を向き、前記鏡本体の鏡面を２等分する中心軸を挟む位置に配置された、少なくとも、赤色ＬＥＤ，青色ＬＥＤ及び緑色ＬＥＤを備える、複数の加熱用ＬＥＤユニットと、
平板状の筐体底部と、前記筐体底部の周縁から高さ方向に所定の角度で立ち上がる筐体壁部とによって画定され、上側には前記鏡本体が取り付けられる筐体と、
入射される光の強度及び色合いを検出する光検出器と、
前記加熱用ＬＥＤユニットからの発光される光の、モードを設定するモード設定手段と、
前記光検出器の入力光の強度及び色合いと、前記モード設定手段で設定されたモードに応じて、出力光の強度及び色合いを設定する出力光設定手段と、
前記加熱用ＬＥＤユニットから発光される光の、強度及び色合いが、前記出力光設定手段で設定された強度及び色合いになるように、前記加熱用ＬＥＤユニットが備える各ＬＥＤの発光強度を設定するＬＥＤ設定手段と
を備え、
前記出力光の色合いを、少なくとも、前記入力光の色合いと同程度に設定でき、
前記光検出器が、当該照明灯付き鏡と離間して設けられ、
前記光検出器の出力信号が、無線信号として、前記出力光設定手段に送られる
ことを特徴とする照明灯付き鏡。
【請求項２】
前記モードは、
前記出力光の色合いを、昼光色、昼白色、電球色、又は、前記入力光と同程度の色合いとし、前記入力光の強度が高いときは、前記出力光の強度を高くし、前記入力光の強度が低いときは、前記出力光の強度を低くするモード、及び
前記出力光の色合いを、昼光色、昼白色、電球色、又は、前記入力光と同程度の色合いとし、前記入力光の強度が高いときは、前記出力光の強度を低くし、前記入力光の強度が低いときは、前記出力光の強度を高くするモード
のいずれかである
ことを特徴とする請求項１に記載の照明灯付き鏡。
【請求項３】
さらに、
前記加熱用ＬＥＤユニットが備えるＬＥＤの発光面側に、前記筐体底部の法線に対して４５度の角度で設けられた反射面を備える反射体
を備えることを特徴とする請求項１又は２に記載の照明灯付き鏡。
【請求項４】
前記加熱用ＬＥＤユニットが備えるＬＥＤが、それぞれ、
金属で形成された中空の容器と、
前記容器の内側の底面上に、発光面を上側に向けて載置された発光ダイオードと、
前記容器の内部に充填された樹脂と
を備え、
前記容器の、前記底面、前記底面に対向する上面、及び、側面の少なくとも１つの面に、中空の部分と連通する開孔が形成されており、
前記開孔の配置、数、形状及び大小、並びに、前記発光ダイオードから放出される光強度により当該開孔から放出される光の強度と、光を取り出す方向とが設定され、
前記開孔の配置、数、形状及び大小と、前記容器の形状、大きさ、厚さ及び材質と、前記発光ダイオードの発熱量とにより、前記開孔が形成されている少なくとも１つの面を経て加熱対象物に伝播される熱量が設定される
発光ダイオードユニットである
ことを特徴とする請求項１〜３のいずれか一項に記載の照明灯付き鏡。
【請求項５】
前記加熱用ＬＥＤユニットが備えるＬＥＤが、それぞれ、
金属で形成された中空の容器と、
前記容器の内側の底面上に、発光面を上側に向けて載置された発光ダイオードと
を備え、
前記容器の内側表面に、凹凸が形成されており、
前記容器の、前記底面、前記底面に対向する上面、及び、側面の少なくとも１つの面に、中空の部分と連通する開孔が形成されており、
前記開孔の配置、数、形状及び大小、並びに、前記発光ダイオードから放出される光強度により当該開孔から放出される光の強度と、光を取り出す方向とが設定され、
前記開孔の配置、数、形状及び大小と、前記容器の形状、大きさ、厚さ及び材質と、前記発光ダイオードの発熱量とにより、前記開孔が形成されている少なくとも１つの面を経て加熱対象物に伝播される熱量が設定される
発光ダイオードユニットである
ことを特徴とする請求項１〜３のいずれか一項に記載の照明灯付き鏡。